(57)【要約】増幅器が知られており、たとえば、パブリックアドレスシステムにおいて使用され、長距離にわたり音声信号が送出される。増幅器を改善するために、本発明は、プッシュプル型の増幅器を提案する。この増幅器は、第１及び第２スイッチ、並びに出力トランスを有している。この出力トランスでは、１次巻き線が第１及び第２スイッチに接続され、２次巻き線がプッシュプル増幅器の出力に接続される。また、出力トランスは、フィードバックループとしてコンパレータに接続される更なる２次巻き線を備えている。
2004503123.tif 000002
【特許請求の範囲】
【請求項１】
入力信号を受信するための入力と、出力信号を供給するための出力と、前記入力信号をパルス幅変調信号に変換するためのコンパレータと、第１及び第２スイッチ並びに出力トランスを有するプッシュプル出力ステージとを備えるプッシュプル増幅器であって、
前記出力トランスの１次巻き線は前記第１及び第２スイッチに接続され、前記出力トランスの２次巻き線は前記プッシュプル増幅器の出力に接続され、前記出力トランスは、フィードバックループとして前記コンパレータに接続される更なる２次巻き線を有する、プッシュプル増幅器。
【請求項２】
前記出力トランスは、帯域除去フィルタを介して前記プッシュプル増幅器の出力に接続される、請求項１記載のプッシュプル増幅器。
【請求項３】
前記プッシュプル増幅器は、前記第１及び第２スイッチと前記出力トランスの間に低域通過フィルタを備える、請求項１記載のプッシュプル増幅器。
【請求項４】
請求項１記載のプッシュプル増幅器で使用するためのプッシュプル出力ステージ。
【請求項５】
入力トランスをそれぞれが有するラウドスピーカを備え、請求項１記載のプッシュプル増幅器をさらに備えるパブリックアドレスシステム。
【発明の詳細な説明】
【０００１】
［発明の分野］
本発明は、出力トランスを有する増幅器に関する。
また、本発明は、かかる増幅器で使用するための出力ステージに関する。
さらに、本発明は、かかる増幅器を備えるパブリックアドレスシステムに関する。
【０００２】
［発明の背景］
増幅器は、従来技術において知られており、いわゆるパブリックアドレスシステム（Ｐｕｂｌｉｃ Ａｄｄｒｅｓｓ Ｓｙｓｔｅｍ）におけるＰＡ（Ｐｕｂｌｉｃ Ａｄｄｒｅｓｓ）増幅器として使用され、たとえば、火災表示装置、呼装置等のために長距離にわたり音声信号を送出する。
【０００３】
かかるシステムは、入力で音声信号を受信し、ＰＡ増幅器は出力トランスを介して、入力トランスを有する話者に対して、たとえば出力電圧１００Ｖｒｍｓを有する信号を長距離にわたり供給する。
【０００４】
公知の増幅器は、４又は２個のＦＥＴをそれぞれ有する、いわゆるＨ−ｂｒｉｄｇｅ又はＨａｌｆ Ｈ−ｂｒｉｄｇｅを使用している。
これら公知の増幅器の問題点は、効率が７０％以下であることである。これら公知の増幅器の更なる問題点は、雑音に対する出力の作用が良好ではないことである。
【０００５】
［発明の概要］
本発明の目的は、従来技術の増幅器の問題点を有さない増幅器を提供することにある。この目的を達成するために、本発明による増幅器は、請求項１の機能を備えている。
【０００６】
本発明による増幅器は、いわゆるプッシュプル型から構成されている。さらに、増幅器は、多数のパブリックアドレスシステムで必要とされる出力トランスを備えている。これは、ユーザが電気の分離（ｇａｌｖａｎｉｃ ｓｅｐａｒａｔｉｏｎ）を必要とするためである。
【０００７】
特別の２次巻き線がフィードバック接続として使用される。
このようにして、従来の増幅器よりも非常に高い効率を有し、安定した増幅器を得るためのフィードバックループを使用したプッシュプル増幅器が得られる。
本発明の実施の形態は、独立な請求項に記載される。
本発明のこれら及び他の態様は、以下に記載される例を参照して明らかとなる。
【０００８】
［発明の実施の形態］
図１は、本発明によるプッシュプル増幅器ＰＰＡの例を示すブロック図である。
プッシュプル増幅器は、たとえば、いわゆるパブリックアドレスシステムにおけるＰＡ増幅器として使用され、たとえば、火災表示装置、呼装置等のような様々な使用のために長距離にわたり音声信号を送出する。かかるシステムは、入力で音声信号を受信し、ＰＡ増幅器は、出力トランスを介して、入力トランスをそれぞれ有するラウドスピーカに対し、たとえば出力電圧１００Ｖｒｍｓを有する音声信号を長距離にわたり供給する。
【０００９】
入力Ｉでは、プッシュプル増幅器ＰＰＡは、音声信号ｉａｓを受信し、入力フィルタＩＦにおけるフィルタリングの後、信号は減算器ＳＵＢの入力に供給される。
減算器の出力は、制御回路を介してコンパレータＣＯＭに接続され、コンパレータＣＯＭは、他の入力でトライアングル発振器ＯＳＣからの信号を受信する。
【００１０】
コンパレータは、その出力でパルス幅変調された信号ｐｗｍｓを供給する。コンパレータは、その出力で出力ステージＯＳに接続される。この出力ステージＯＳは、スイッチＳ１及びＳ２への駆動信号を供給するための出力ドライバＯＤを備える。このスイッチは、さらに「本物の」スイッチＤ１及びＤ２をアンチパラレルにそれぞれ備えている。
【００１１】
この例では、それぞれのスイッチは、低域通過フィルタＬＰＦの巻き線Ｌに接続されている。この例では、低域通過フィルタは、それぞれの巻き線に接続されているキャパシタＣ１をさらに備えている。
【００１２】
それぞれの巻き線ＬとキャパシタＣの接続点には、出力トランスＯＴに接続されている。これにより、それぞれの接続点は、１次巻き線ＰＷの一方の側に接続される。１次巻き線の中間は、正電圧Ｖ＋に接続されている。
【００１３】
出力トランスＯＴの２次巻き線ＳＷは、出力音声信号をラウドスピーカ（図示せず）に供給するために、帯域除去フィルタＢＢＦを介して、プッシュプル増幅器ＰＰＡの第１の出力Ｏ１及び第２の出力Ｏ２に接続される。
【００１４】
出力トランスＯＴは、フィードバック制御ＦＣを介して、フィードバック信号を減算器ＳＵＢの他の入力に供給するための、フィードバックの２次巻き線ＦＳＷをさらに備えている。
【００１５】
この例では、出力ステージは、出力ドライバＯＤ、スイッチＳ１及びＳ２、低域通過フィルタＬＰＦ、出力トランスＯＴ及び帯域除去フィルタＢＢＦを備えている。
スイッチＳ１及びＳ２と出力トランスＯＴとの間に接続される低域通過フィルタＬＰＦは、プッシュプル増幅器の効率を更に向上させる。
出力トランスＯＴとプッシュプル増幅器の出力Ｏ１，Ｏ２の間の帯域除去フィルタＢＢＦは、プッシュプル増幅器の出力特性を改善する。
プッシュプル増幅器の入力フィルタＩＦは、プッシュプル増幅器の特性を改善する。
【００１６】
なお、本発明によるプッシュプル増幅器は、１例に基づいて記載してきたが、当業者であれば、本発明の範囲内で多くの他の実現を認識されるであろう。
たとえば、低域通過フィルタを変更することができる。さらに、帯域除去フィルタを、同じ又は対応する結果を生じるように、例示から変更することもできる。
【００１７】
本発明によるプッシュプル増幅器は、パブリックアドレスシステム以外の用途に使用することができる。
また、出力ステージＯＴは、上述した以外の他のプッシュプル増幅器と結合することができる。
【図面の簡単な説明】
【図１】
本発明によるプッシュプル増幅器の例を示す図である。
【国際公開パンフレット】
2004503123.tif 000003
2004503123.tif 000004
2004503123.tif 000005
2004503123.tif 000006
2004503123.tif 000007
2004503123.tif 000008
【国際調査報告】
2004503123.tif 000009
2004503123.tif 000010
2004503123.tif 000011